(57)【特許請求の範囲】
【請求項１】
無目又は方立の室内側に取付け、若しくは無目又は方立の室内側に取付けた補助材に取付ける絶縁部品と、取付けられた絶縁物品に当接するカバー材とを備え、絶縁部品は、室内側端に無目、方立又は補助材に係止する係止部を有し、室外側端に窓枠の室内側面に当接する窓枠当接部を有し、カバー材は、無目、方立又は補助材の室内側面を覆うものであり、室外側端を絶縁部品の窓枠当接部に室内側から当接してあり、カバー材の見込面部と、無目、方立又は補助材との間に絶縁部品を挟んでねじで止めてあることを特徴とする建具。
【発明の詳細な説明】
【技術分野】
【０００１】
本発明は、サッシ及びドア等の建具に関する。
【背景技術】
【０００２】
特許文献１には、カバー材に絶縁部品を装着する保持部を押出形材で一体形成し、この保持部に絶縁部品を予め装着したカバー材を窓枠間に取付けることが開示されている。
【先行技術文献】
【特許文献】
【０００３】
【特許文献１】特開平８−１９３４６２号公報
【発明の概要】
【発明が解決しようとする課題】
【０００４】
しかし、カバー材は、施工毎に異なるサイズのものが使用される場合があり、特に、室内側へ突出する見込み寸法のみが異なるものがあるが、特許文献１の技術では、これらのサイズが異なる毎に、絶縁部品の保持部を形成した押出形材が必要となる為に、カバー材の在庫種類が多くなり在庫管理が煩雑になるという問題があった。
【０００５】
そこで、本発明は、在庫管理が簡素化でき、施工性が良好でカバー材と窓枠との間を絶縁できる建具の提供を目的とする。
【課題を解決するための手段】
【０００６】
請求項１に記載の発明は、無目又は方立の室内側に取付け、若しくは無目又は方立の室内側に取付けた補助材に取付ける絶縁部品と、取付けられた絶縁物品に当接するカバー材とを備え、絶縁部品は、室内側端に無目、方立又は補助材に係止する係止部を有し、室外側端に窓枠の室内側面に当接する窓枠当接部を有し、カバー材は、無目、方立又は補助材の室内側面を覆うものであり、室外側端を絶縁部品の窓枠当接部に室内側から当接してあり、カバー材の見込面部と、無目、方立又は補助材との間に絶縁部品を挟んでねじで止めてあることを特徴とする建具である。
【発明の効果】
【０００７】
請求項１に記載の発明によれば、絶縁部品は、室内側端に設けた係止部を無目、方立又は補助材に係止して、無目、方立又は補助材とカバー材との間に挟んでねじで止める構成であるから、カバー材に絶縁部品の保持部を一体形成しないで済み、サイズが異なるカバー材にも対応できる。  
絶縁部品は、室内側端に設けた係止部を無目、方立又は補助材に係止して、室外側端に設けた窓枠当接部を窓枠の室内側面に当接させて、窓枠当接部に室内側からカバー材を当接させるようにして施工すればよいので、施工性が良好である。
【図面の簡単な説明】
【０００８】
【図１】本発明の第１実施の形態にかかる建具の図であり、図３に示すＡ−Ａ断面図である。
【図２】本発明の第１実施の形態にかかる建具の図であり、図３に示すＢ−Ｂ断面図である。
【図３】本発明の第１実施の形態にかかる建具を室内側から見た正面図である。
【図４】本発明の第２実施の形態にかかる建具の図であり、無目の周囲部分を抜き出して示す縦断面図である。
【図５】本発明の第３実施の形態にかかる建具の図であり、無目の周囲部分を抜き出して示す縦断面図である。
【図６】本発明の第４実施の形態にかかる建具の図であり、方立の周囲部分を抜き出して示す横断面図である。
【発明を実施するための形態】
【０００９】
以下に、添付図面を参照して本発明の実施の形態を説明するが、まず図１〜図３を参照して本発明の第１実施の形態について説明する。  
本発明の第１実施の形態にかかる建具１は、図３及び図１に示すように、下窓３と上窓５との間に無目７を配置した段窓９と、段窓９の横に方立１１を介して配置した単窓１３を備えており、上窓５の室内側には、内開き網戸１２が設けてある。  
下窓３はＦＩＸ窓であり、上窓５は縦すべり出し窓である。図２及び図３に示すように、単窓１３は段窓９と略同じ高さ寸法を有するＦＩＸ窓である。  
図１に示すように、無目７は、下窓３の上枠（窓枠）１５と上窓５の下枠（窓枠）１７との間に設けてあり、室外側部７ａと室内側部７ｂとを備えている。無目７の室外側部７ａは下窓３の上枠１５の室外側端部１５ａと上窓５の下枠１７の室外側端部１７ａとに室外側から止めるねじ１９で固定してある。無目７の室内側部７ｂは、下窓３の上枠１５の室内側面１５ｂに当接する下室内側当接部７ｃと、上窓５の下枠１７の室内側面１７ｂに当接する上室内側当接部７ｄとを備えており、下室内側当接部７ｃは下窓３の上枠１５に、上室内側当接部７ｄは上窓５の下枠１７に各々ねじ２１で固定してある。  
【００１０】
無目７の室内側部７ｂにおいて、下室内側当接部７ｃの下端部は、上枠１５の室内側面１５ｂとの間に隙間を形成するように室内側に凹んだ凹部２３が形成してあり、同様に上室内側当接部７ｄの上端部にも、下枠１７の室内側面１７ｂとの間に隙間を形成する凹部２３が形成してある。
無目７の室内側部７ｂには、下室内側当接部７ｃと上室内側当接部７ｄとの間の室内側に補助材２５がねじ２７で止めてある。
【００１１】
補助材２５は、無目７の長手方向に沿って設けてあり、本体部２５ａと、本体部２５ａの一端（下端）部で室内側へ突出する一端側見込面部２５ｂと、本体部２５ａの他端（上端）部で室内側へ突出する他端側見込面部２５ｃとを有し、本端部２５ａと、一端側見込面部２５ｂと、他端側見込面部２５ｃとで断面略コ字形状を成している。  
一端側見込面部２５ｂの室内側端部には、一端側被係止部２６ａが形成されており、他端側込面部２５ｃにも室内側端部に他端側被係止部２６ｂが形成されている。各被係止部２６ａ、２６ｂには互いに対向する側に突設した凸部が形成してあり、断面略Ｌ字形状を成している。  
尚、各窓３、５、１３の枠、無目７、補助材２５及び後述するカバー材３７、４５は、アルミニウム合金製である。尚、カバー材３７、４５は、板材を曲げて形成してある（曲げ物）。
【００１２】
補助材２５の一端側被係止部２６ａには一方の絶縁部品２９ａが取付けてあり、他端側被係止部２５ｂには他方の絶縁部品２９ｂが取り付けてある。一方及び他方の絶縁部品２９ａ、２９ｂは、断熱性を有するものであり、具体的には合成樹脂材製である。各絶縁部品部２９ａ、２９ｂは、補助材２５を挟む位置に配置して且つ各々無目７の長手方向に沿って設けてある。
一方の絶縁部品２９ａは、その室内側端に設けた係止部３１と、室外側端に設けた窓枠当接部３３と、係止部３１と窓枠当接部３３との間に設けた見込面部３５とを有している。本実施の形態では、係止部３１及び見込面部３５は硬質樹脂製であり、窓枠当接部３３は軟質樹脂製である。硬質樹脂としては例えば硬質塩化ビニールが用いられ、軟質樹脂としては軟質塩化ビニールが用いられる。
係止部３１は、鉤状を成しており、係止部３１の室外側端（鉤状の先端）には傾斜面３１ａが形成されており、係止部３１を補助材２５の一端側被係止部２６ａに室内側から被せるようにして、室内側から押し込むと、図１に二点鎖線で示すように、傾斜面３１ａにより係止部３１の室外側端が弾性変形して広がり、被係止部２６ａを乗り越えて弾性復帰することで、係止部３１が一端側被係止部２６ａに係止するようになっている。窓枠当接部３３は、下窓３の上枠１５の室内側面１５ｂに室内側から当接している。窓枠当接部３３は、一方の絶縁部品２９ａにおいて、見込面部３５から他方の絶縁部品２９ｂ側と反対側（下方）に突出している。一方の絶縁部品２９ａの見込面部３５は、補助材２５の一端側見込面部２５ｂに重ねている。また、一方の絶縁部品２９ａの見込面部３５の室外側端部は下窓３の上枠１５の室内側面１５ｂに当接してあると共に、窓枠当接部３３と反対側に突出する位置決め突出部３６が形成されている。この位置決め突出部３６は、無目７の下室内側当接部７ｃと下窓３の上枠室内側面１５ｂとの間に形成された凹部２３に入り込んでいる。  
同様に、他方の絶縁部品２９ｂは、係止部３１を補助材２５の他端側被係止部２６ｂに室内側から被せるようにして係止しており、窓枠当接部３３は、上窓５の下枠１７の室内側面１７ｂに室内側から当接しており、この窓枠当接部３３は他方の絶縁部品２９ｂの見込面部３５から一方の絶縁部品２９ａと反対側（上方）に突出して設けてある。他方の絶縁部品２９ｂにおいて、その見込面部３５は、補助材２５の上側に重ねている。  
他方の絶縁部品２９ｂの見込面部３５もその室外側端部が上窓５の下枠１７の室内側面１７ｂに当接してあり、室外側端部に窓枠当接部３３と反対側に突出する位置決め突出部３６が形成されている。この位置決め突出部３６は、無目７の室内側部７ｂと上窓５の下枠室内側面１７ｂとの間に形成された凹部２３に入り込んでいる。
【００１３】
下窓３の上枠１５と、上窓５の下枠１７との間の室内側には、補助材２５の室内側面を覆う無目カバー材（カバー材）３７が設けてある。無目カバー材３７は、一側（下側）見込面部３７ａと、他側（上側）見込面部３７ｂと、室内側面部３７ｃとで断面略コ字形状を成している。
一側見込面部３７ａの室外側端３９は、一方の絶縁部品２９ａの窓枠当接部３３に室内側から当接してあり、他側見込面部３７ｂの室外側端３９は、他方の絶縁部品２９ｂの窓枠当接部３３に室内側から当接している。  
無目カバー材３７の一側見込面部３７ａにおいて、その室外側端３９よりも室内側では、補助材２５の一端側見込面部２５ｂとの間に一方の絶縁部品２９ａの見込面部３５を挟んで、ねじ４１で止めてある。
同様に、無目カバー材３７の上側見込面部３７ｂにおいて、その室外側端３９よりも室内側では、補助材２５の他端側見込面部２５ｃとの間に他方の絶縁部品２９ｂの見込面部３５を挟んで、ねじ４１で止めてある。  
【００１４】
無目カバー材３７の他側見込面部３７ｂには、内開き網戸１２の下枠１２ａが取付けてある。尚、内開き網戸１２の上枠１２ｂは、上窓５の上枠１６の室内側に設けてある上側額縁４３に取付けている。
【００１５】
次に、図２を参照して、方立１１と、方立１１に取付けた補助材２５と、一方の絶縁部品２９ａ、他方の絶縁部品２９ｂと、方立カバー材４５とについて説明する。  
方立１１は、左右に隣合う上窓５と単窓１３において、互いに隣合う方立側竪枠４７、４９との間に設けてあり、室外側部１１ａと室内側部１１ｂとを有している。  
方立１１の室外側部１１ａは、上窓５の方立側竪枠４７及び単窓１３の方立側竪枠４９の各室外側面に室外側からパッキン５２を介して当接してある。方立１１の室内側部１１ｂは、上窓５の方立側竪枠４７及び単窓１３の方立側竪枠４９の各室内側端に係合してあり、上窓５の方立側竪枠４７及び単窓１３の方立側竪枠４９の各室内側端を、方立１１の室内側部１１ｂと、上窓５の方立側竪枠４７及び単窓１３の方立側竪枠４９の各室内側面４７ａ、４９ａの室内側に亘って配置した補助材２５とで、挟んでねじ２７で固定してある。  
補助材２５は、方立１１の室内側で方立１１の長手方向に沿って設けてあり、一方の被係止部２６ａは室内側から見て左側に設けてあり、他方の被係止部２６ｂは室内側から見て右側に設けてある。  
補助材２５、一方の絶縁部品２９ａ、他方の絶縁部品２９ｂと、及びカバー材３７は上述したものと同種のものが用いられており、長さが異なるだけであるから、これらの部材には、上述したものと同一の作用効果を奏する部分には、同一の符号を付することによりその部分の詳細な説明を省略する。  
また、一方の絶縁部品２９ａと他方の絶縁部品２９ｂとは、方立１１の左側及び右側で方立の長手方向に沿って設けてあることが、上述した無目７の下側に設けてある一方の絶縁部品２９ａ及び上側に設けてある他方の絶縁部品２９ｂと異なっている。  
方立カバー材（カバー材）４５は、無目カバー材３７と同種の形材が用いられており、長さが異なるだけである。その一側見込面部３７ａが左右方向の右側に設けてあり、これに対向する他側見込面部３７ｂが左右方向の左側に設けてある。  
また、方立カバー材４５の他側見込面部３７ｂと、室内側から見て左側の額縁５３とには、内開き網戸１２の対向する竪枠１２ｃ、１２ｄが取付けてある。  
【００１６】
次に、第１実施の形態にかかる建具１の施工、作用及び効果について説明する。建具１の施工は、躯体開口部に下窓３と、上窓５と、これらの間に無目７を取付けて段窓９を組み付け、単窓１３と、単窓１３と段窓９との間に方立１１を組み付ける。  
そして、無目７の室内側に無目カバー材３７を取付け、方立１１の室内側に方立カバー材４５を取付けるが、以下にこれらのカバー材３７、４５の取付けについて説明する。まず、図１を参照して、無目カバー材３７の取付けについて説明する。  
無目７の室内側部７ｂの室内側に補助材２５を配置して、補助材２５を室内側から止めるねじ２７で無目７の室内側部７ｂに固定する。次に、補助材２５の一端側見込面部２５ｂの被係止部２６ａに一方の絶縁部品２９ａの係止部３１を係止し、一方の絶縁部品２９ａの窓枠当接部３３を下窓３の上枠１５の室内側面１５ｂに室内側から当接するように配置する。このときに、一方の絶縁部品２９ａの見込面部３５の室外側端部に形成されている位置決め突出部３６を無目７の室内側部７ｂの下室内側当接部７ｃに形成されている凹部２３に入り込むことで、窓枠当接部３３を位置決めする。  
同様に、補助材２５の他端側見込面部２５ｃの被係止部２６ｂに他方の絶縁部品２９ｂの係止部３１を係止し、他方の絶縁部品２９ｂの窓枠当接部３３を上窓５の下枠１７の室内側面１７ｂに室内側から当接するように配置し、他方の絶縁部品２９ａの位置決め突出部３６を無目７の室内側部７ｂの上室内側当接部７ｄに形成されている凹部２３に入り込むように配置する。  
次に、無目カバー材３７の一側見込面部３７ａと他側見込面部３７ｂで、それぞれ対向する一方の絶縁部品２９ａと他方の絶縁部品２９ｂとを挟むようにして、無目カバー材３７を室内側から挿入し、一側見込面部３７ａの室外側端を一方の絶縁部品２９ａの窓当接部３３に室内側から当接し、他側見込面部３７ｂの室外側端を他方の絶縁部品２９ｂの窓当接部３３に室内側から当接させる。  
その後、一側見込面部３７ａと補助材２５の一端側見込面部２５ｂとの間に一方の絶縁部品２９ａの見込面部３５を挟んで、ねじ４１で止める。同様に、他側見込面部３７ｂと補助材２５の他端側見込面部２５ｃとの間に他方の絶縁部品２９ｂの見込面部３５を挟んで、ねじ４１で止める。  
【００１７】
次に、図２を参照して、方立カバー材４５の取付けについて説明する。
無目カバー材３７の取付けと同様にして、方立１１の室内側部１１ｂに補助材２５をねじ２７で固定する。  
次に、補助材２５の一端側被係止部２６ａに一方の絶縁部品２９ａの係止部３１を係止して、一方の絶縁部品２９ａの窓枠当接部３３を上窓５及び下窓３の方立側竪枠４７の室内側面４７ａに室内側から当接させて取付け、同様に、補助材２５の他端側被係止部２６ｂに他方の絶縁部品２９ｂの係止部３１を係止して、他方の絶縁部品２９ｂの窓枠当接部３３を単窓１３の方立側竪枠４９の室内側面４９ａに室内側から当接させて取付ける。  
その後、方立カバー材４５の一側見込面部３７ａと補助材２５の一端側見込面部２５ｂとの間に一方の絶縁部品２９ａの見込面部３５を挟んで、ねじ４１で止める。同様に、他側見込面部３７ｂと補助材２５の他端側見込面部２５ｃとの間に他方の絶縁部品２９ｂの見込面部３５を挟んで、ねじ４１で止める。  
次に、無目カバー材３７、方立カバー材４５、額縁４３、５３の内周に各々対向する内開き網戸１２の枠１２ａ、１２ｂ、１２ｃ、１２ｄを固定して、内開き網戸１２を取付ける。  
【００１８】
第１実施の形態にかかる建具１によれば、無目カバー材３７に関して、各絶縁部品２９ａ、２９ｂは、室外側端に窓枠当接部３３を有し、各窓枠当接部３３の各々に室内側から無目カバー材３７の対応する一側見込面部３７ａ及び他側見込面部３７ｂの室外側端が当接する構成であるから、上枠（窓枠）１５、下枠（窓枠）１７及び無目７と、無目カバー材３７との間の断熱を図ることができ、無目カバー材３７に結露が生じるのを防止できる。  
各絶縁部品２９ａ、２９ｂは、各々室内側端に設けた係止部３１を、補助材２５の対応する被係止部２６ａ、２６ｂに係止して、室外側端に設けた窓枠当接部３３、３３を窓枠の室内側面に当接させて、窓枠当接部３３、３３に室内側から無目カバー材３７の一側見込面部３７ａ及び他側見込面部３７ｂの室外側端３９を当接させるようにして施工すればよいので、施工性が良好である。また、サイズが異なる無目カバー材３７にも対応でき、サイズが異なる無目カバー材３７ごとに従来技術のような絶縁部品の保持部を形成したものを用意する必要がないので、在庫管理が簡素化できる。特に、本実施の形態では、無目カバー材３７は曲げ物であるから、従来技術のような絶縁部品の保持部を形成しないで済み、製造が容易である。  
【００１９】
方立カバー材４５に関して、無目カバー材３７と同様に、各絶縁部品２９ａ、２９ｂは、室外側端に窓枠当接部３３を有し、各窓枠当接部３３の各々に室内側から方立カバー材４５の対応する一側見込面部３７ａ及び他側見込面部３７ｂの室外側端が当接する構成であるから、竪枠（窓枠）４７、４９及び方立１１と、方立カバー材４５との間の断熱を図ることができ、方立カバー材４５に結露が生じるのを防止できる。
各絶縁部品２９ａ、２９ｂは、各々室内側端に設けた係止部３１を、補助材２５の対応する被係止部２６ａ、２６ｂに係止して、補助材２５の見込面部２５ｂ、２５ｃと方立カバー材４５の見込面部３７ａ、３７ｂとの間に挟んでねじ４１で止める構成であるから、施工性が良好である。方立カバー材４５に各絶縁部品２９ａ、２９ｂの保持部を一体形成しないで済み、サイズが異なる方立カバー材４５にも対応でき、サイズが異なる方立カバー材４５ごとに従来技術のような絶縁保持部を形成したものを用意する必要がないので、在庫管理が簡素化できる。  
各絶縁部品２９ａ、２９ｂは、室内側端に係止部３１を有し、室外側端に窓枠当接部３３を有し、窓枠当接部３３に室内側から方立カバー材４５の一側見込面部３７ａ及び他側見込面部３７ｂの室外側端が当接する構成であるから、絶縁部品２９ａ、２９ｂを補助材２５に係止させ易く且つ方立カバー材４５にその長手方向に通し込む必要がないので、取付けが容易である。  
【００２０】
各絶縁部品２９ａ、２９ｂは、軟質材料からなる窓枠当接部３３と、硬質材料からなる係止部３１とを一体に押出されて形成してあり、軟質部と硬質部とを一部品に備えているので、部品種類を少なくできる。  
補助材２５及び各絶縁部品２９ａ、２９ｂは、無目７に無目カバー材３７を取付ける場合や方立１１に方立カバー材４５を取付ける場合のいずれの場合にも、長さが異なるだけで断面が同一形状及び同一寸法のものを使用しているので、同種類のものを用いることができる。  
また、本実施の形態では、無目カバー材３７と方立カバー材４５とについても、長さが異なるだけで断面が同一形状及び同一寸法のものを使用しているので、同種類のものを用いることができる。  
各絶縁部品２９ａ、２９ｂは、室外側端に窓枠当接部３３に対して反対側に突出する位置決め突出部３６を有し、位置決め突出部３６が補助材２５に形成されている凹部２３に入り込むことで、窓枠当接部３３の位置決めが容易にできる。
【００２１】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図４に第２実施の形態にかかる建具１を示す。この第２実施の形態では、無目７に無目カバー材３７を取付けた状態を示すものであり、無目カバー材３７の室内側突出寸法が第１実施の形態における無目カバー材３７の寸法と異なっている。即ち、第２実施の形態では、網戸１２を第１実施の形態よりも室内側の位置で取付けてあり、無目カバー材３７の室内側突出寸法が第１実施の形態における無目カバー材３７の寸法よりも長い。尚、図示していないが、第２実施の形態では、方立カバー材４５についても、無目カバー材３７と同様に第１実施の形態よりも室内側に突出する寸法が長いものを用いている。  
この第２実施の形態によれば、第１実施の形態にかかる無目７に対して、同種類の補助材２５、一方及び他方の絶縁部品２９ａ、２９ｂを用いて、第１実施の形態と同様に施工でき、上述した第１実施の形態と同様の作用効果を奏することができる。  
特に、無目カバー材３７や方立カバー材４５に、従来技術のような絶縁部品のホルダを一体に設けないで済むので、サイズが異なる無目カバー材３７や方立カバー材４５にも対応できる。  
【００２２】
図５に第３実施の形態にかかる建具１を示す。図５は、無目７に無目カバー３７を取付けた状態を示すものであり、この第３実施の形態では、無目７の形状が第１実施の形態と異なると共に補助材２５を用いていないことが第１実施の形態と異なっている。  
無目７は、その室内側部７ｂに一端側見込面部２５ｂ、他端側見込面部２５ｃ、一端側被係止部２６ａ及び他端側被係止部２６ｂが一体に形成してあり、且つ無目７の室内側部７ｂには下窓３の上枠１５の室内側面１５ｂとの間、及び上窓５の下枠１７の室内側面１７ｂとの間に各々凹部２３が形成されている。  
この第３実施の形態によれば、上述した第１実施の形態と同様の作用効果を奏すると共に第１実施の形態に用いた補助材２５が不要であるから、第１実施の形態よりも使用する部品点数を少なくでき且つ施工も簡易にできる。  
【００２３】
図６に第４実施の形態にかかる建具１を示す。図６は方立１１に方立カバー材４５を取付けた状態を示すものであり、この第４実施の形態では、方立１１の形状が第１実施の形態と異なると共に補助材２５を用いていないことが第１実施の形態と異なっている。また、方立カバー材４５には、第１実施の形態における内開き網戸１２を取付けていない。  
この第４実施の形態では、方立１１の室内側部１１ｂに一端側見込面部２５ｂ、他端側見込面部２５ｃ、一端側被係止部２６ａ及び他端側被係止部２６ｂが一体に形成してあり、且つ方立１１の室内側部１１ｂにはその左右端に対応する方立側竪枠４７及び４９の各室内側面４７ａ、４９ａとの間に各々凹部２３が形成されている。  
この第３実施の形態によれば、上述した第１実施の形態と同様の作用効果を奏すると共に第１実施の形態で用いた補助材２５が不要であるから、第１実施の形態よりも使用する部品点数を少なくでき且つ施工も簡易にできる。  
【００２４】
本発明は、上述した実施の形態に限らず、本発明の要旨を逸脱しない範囲で種々変形可能である。
例えば、本発明にかかる建具１は、窓間に設けた無目又は方立を例に用いて説明したが、これに限らず、ドアとドアの上に配置した窓との間に設けた無目や、ドアとドアの横に配置した窓との間に設けた方立であっても良い。  
一方の絶縁部品２９ａ及び他方の絶縁部品２９ｂにおいて、見込面部３５及び係止部３１を硬質樹脂材で形成し、窓枠当接部３３を軟質樹脂材で形成することに限らず、絶縁部品全体を軟質樹脂材で形成したり、硬質樹脂材で形成するものであっても良い。  
無目カバー材３７及び方立カバー材４５は、上述した実施の形態のように、無目７や方立１１から室内側に大きく突出するものに限らず、室内側への突出寸法を小さくしてほとんど室内側に突出しない形状としても良い。  
【符号の説明】
【００２５】
１    建具
７    無目
１１  方立
１５  上枠（窓枠）
１７  下枠（窓枠）
１５ａ、１５ｂ  室内側面
２５  補助材
２９ａ  一方の絶縁部品
２９ｂ  他方の絶縁部品
３７    無目カバー材（カバー材）
４５    方立カバー材（カバー材）
３１    係止部
３３    窓枠当接部
３７ａ  一側見込面部
３７ｂ  他側見込面部
４１    ねじ（カバー材を止めるねじ）
４７、４９  方立側竪枠
４７ａ、４９ａ  室内側面
【図１】
0006385796.tif 000002
【図２】
0006385796.tif 000003
【図３】
0006385796.tif 000004
【図４】
0006385796.tif 000005
【図５】
0006385796.tif 000006
【図６】
0006385796.tif 000007